(57)【要約】      （修正有）【課題】化粧用具、筆記用具、その他の身回品を袋状体の収容部に収容すると共に、メガネを独立するメガネケースに収容して破損から保護し、かつ常に携帯することができるメガネケース付きバッグを提供する。【解決手段】バッグ本体２と、バッグ本体２を構成する袋状体２ａの底面部に一体に構成されるメガネケース３とから設けられる。バッグ本体２の袋状体２ａは、正面部２ａ１、背面部又は周回面部と底面部から構成され、正面部と背面部又は周回面部の上縁が開口縁に、内方が収容部に設けられ、メガネケース３は、硬質合成樹脂製であって凹湾曲相対型の本体殻３ａと蓋体殻３ｂから構成され、本体殻３ａと蓋体殻３ｂは、また、互いに蝶番により連結されると共に節度バネが介在され、互いの口縁を閉じ合わせる状態と、蝶番を中心に外方へ展開して互いの口縁を開く状態を維持するように設けられる。【選択図】図１
0003152210.tif 000002
【実用新案登録請求の範囲】
【請求項１】
バッグ本体と、該バッグ本体を構成する袋状体の底面部に一体に構成されるメガネケースとから設けられるメガネケース付きバッグ。
【請求項２】
前記バッグ本体の袋状体は、少なくとも正面部、背面部又は周回面部と底面部から構成され、正面部と背面部又は周回面部の上縁が開口縁に、内方が収容部に設けられ、上縁の開口縁には、蓋部又は開閉ファスナーが配備される請求項１のメガネケース付きバッグ。
【請求項３】
前記バッグ本体の袋状体は、周回面部と底面部から構成され、周回面部の上縁が開口縁に、内方が収容部に設けられ、上縁の開口縁には、蓋部又は開閉ファスナーが配備される請求項１のメガネケース付きバッグ。
【請求項４】
前記メガネケースは、硬質合成樹脂製であって凹湾曲相対型の本体殻と蓋体殻から構成され、前記本体殻と蓋体殻は、また、互いに蝶番により連結されると共に節度バネが介在され、互いの口縁を閉じ合わせる状態と、蝶番を中心に外方へ展開して互いの口縁を開く状態を維持するように設けられる請求項２又は請求項３のメガネケース付きバッグ。
【請求項５】
前記メガネケースの本体殻は、外面に表装材が装着され、前記蓋体殻は、外面に表装材として前記袋状体の底面部が装着され、袋状体の底面と一体に設けられる請求項４のメガネケース付きバッグ。
【請求項６】
前記メガネケースの本体殻と蓋体殻の各内面には、内装材が、蝶番の連結側を連続させて装着される請求項５のメガネケース付きバッグ。
【請求項７】
前記メガネケースの本体殻において、蝶番の連結位置と反対外側面に止具用雄金具が固着され、該止具用雄金具と嵌着する雌金具を下端に備える止具が前記袋状体の正面部又は周回面部の下部に配備される請求項５のメガネケース付きバッグ。
【請求項８】
前記蓋部は、外形を方形に形成され、その外面には、二つ折り中間横断線に沿って両端部が逢着され、その中間が上方に立上る手提帯が配備される請求項２又は請求項３のメガネケース付きバッグ。
【請求項９】
前記蓋部は、背面側下縁が袋状体の背面に逢着され、正面側下部に掛止口が開口する受金が取付けられる請求項２のメガネケース付きバッグ。
【請求項１０】
前記袋状体の正面部に掛止金が配備され、該掛止金の掛止部が前記受金の掛止口には裏側から表側に挿通され、該掛止部の先端の回動ロック部を回して蓋部の正面側下部を袋状体の正面部に掛止めできるように構成される請求項９のメガネケース付きバッグ。
【請求項１１】
前記袋状体の正面部及び背面部の上縁と、同正面部及び背面部の左側縁と右側縁とで構成される左隅部と右隅部において、正面部と背面部に貫通する左透孔と右透孔が鳩目金により設けられ、該左透孔と右透孔には、吊環が嵌挿配備される請求項２のメガネケース付きバッグ。
【請求項１２】
前記吊環には、手提げバンドの両端の連結金具が連結され、バッグ本体に手提げバンドが配備される請求項１１のメガネケース付きバッグ。
【請求項１３】
前記吊環には、肩掛けバンドの両端の連結金具が連結され、バッグ本体に肩掛けバンドが配備される請求項１１のメガネケース付きバッグ。
【考案の詳細な説明】
【技術分野】
【０００１】
本考案は、バッグの底面部にメガネケースを一体に配備してなるメガネケース付きバッグに関するものである。
【背景技術】
【０００２】
特許文献１には、眼鏡を収容するケース本体２と、引掛部材２２とからなる眼鏡ケース２１が提案される。前記ケース本体２は、収容部３と、収容部３に開閉自在に設けられた蓋部５とからなる。前記蓋部５の一側には、ケース本体２内とケース本体２外を連通する開口９、９が形成されている。前記蓋部５には、ケース本体２に収納、引出し可能となるリング状の引掛部材２２が前記一対の開口９、９に挿通されて設けられている。
【０００３】
特許文献２には、既製の眼鏡ケースの上蓋の内側に筒状の袋を設け、筆記具等を眼鏡ケース内に収容・可能してなる小物入付眼鏡ケースと、円筒の本体に仕切板を設け、蓋をしてなる小物入付眼鏡ケースとが提案されている。
【０００４】
特許文献３には、円筒形のケースに仕切りを設け、中を三等分して各々にメガネを縦に入るようにし、蓋を付け、ベルト通しまたはヒモを付けてなる携帯用メガネケースが提案されている。
【０００５】
特許文献４には、携帯用の小型の鞄袋物と、該鞄袋物の内部または外部に取着されたメガネを専用に収納するメガネケースとで構成されたメガネケース付の鞄袋物が提案されている。
【先行技術文献】
【特許文献】
【０００６】
【特許文献１】実用新案登録第３０５０９４９号公報
【特許文献２】特開平７−３０７４０号公報
【特許文献３】特開平１１−４６８３３号公報
【特許文献４】実開平２−４４２０号公報
【考案の概要】
【考案が解決しようとする課題】
【０００７】
前記特許文献１は、従来、眼鏡ケースには、引掛部材がないため、机において、書類の中に埋もれて探すのに苦労があった点から引掛部材を配備したこと、引掛部材の収納、引出が行える構造にしたものであるが、眼鏡専用のケースから脱却するものではなかった。
【０００８】
前記特許文献２は、従来、メガネケースは、メガネ専用であったため、書き物でメガネが必要なとき、筆記具を持ち合わせないというように不便があったため、メガネケースに筒状の袋を設けて内部を仕切るか、円筒の本体に仕切板を設けて内部を二つに区画してメガネと筆記具等の小物を併せて収容可能にしたものであるが、日常の行動時の携帯品は、筆記具等の小物では用が足りないことが多く不便を生ずるものである。携帯品の収納力が求められるものである。
【０００９】
特許文献３は、円筒形のケースに仕切りを設け、中を三等分して各々にメガネを縦に入るようにし、蓋を付け、ベルト通しまたはヒモを付けてなる携帯用メガネケースであるから、鞄袋物の収納力に近付くものであるが、メガネと他の携帯品と区画が区別されず、独立的収納性に欠けるものである。
【００１０】
特許文献４は、携帯用の小型の鞄袋物と、該鞄袋物の内部または外部に取着されたメガネを専用に収納するメガネケースとで構成されたメガネケース付の鞄袋物が提案され、前記特許文献１〜３の発展的終局に位置する考案であるが、具体的構造では、専用のメガネケースが、単に鞄袋物の内部または外部に取着されるという構成であるため、使い勝手性では、例えば、メガネケースが鞄袋物の内部に取着された場合、取り出し時に鞄袋物の携帯品とも衝突してメガネを破損する欠点がある。また、メガネケースが鞄袋物の外部に取着された場合、どのような構造であるが、外観上の体裁と、使い勝手と、製造コストに多大に影響するものであるから、未解決の課題が多いものである。
【００１１】
本考案は、従来の係るような欠点を解消することを目的になされたものである。
【課題を解決するための手段】
【００１２】
バッグ本体と、該バッグ本体を構成する袋状体の底面部に一体に構成されるメガネケースとから設けられるメガネケース付きバッグにある。
【００１３】
前記バッグ本体の袋状体は、少なくとも正面部、背面部及び底面部から構成され、正面部と背面部の上縁が開口縁に、内方が収容部に設けられ、上縁の開口縁には、蓋部又は開閉ファスナーが配備されるものとしてもよいものである。
【００１４】
前記バッグ本体の袋状体は、周回面部と底面部から構成され、周回面部の上縁が開口縁に、内方が収容部に設けられ、上縁の開口縁には、蓋部又は開閉ファスナーが配備されるものとしてもよいものである。
【００１５】
前記メガネケースは、硬質合成樹脂製であって凹湾曲相対型の本体殻と蓋体殻から構成され、前記本体殻と蓋体殻は、また、互いに蝶番により連結されると共に節度バネが介在され、互いの口縁を閉じ合わせる状態と、蝶番を中心に外方へ展開して互いの口縁を開く状態を維持するものとしてもよいものである。
【００１６】
前記メガネケースの本体殻は、外面に表装材が装着され、前記蓋体殻は、外面に表装材として前記袋状体の底面部が装着され、袋状体の底面と一体に設けられるものとしてもよいものである。
【００１７】
前記メガネケースの本体殻と蓋体殻の各内面には、内装材が、蝶番の連結側を連続させて装着されるものとしてもよいものである。
【００１８】
前記メガネケースの本体殻において、蝶番の連結位置と反対外側面に止具用雄金具が固着され、該止具用雄金具と嵌着する雌金具を下端に備える止具が前記袋状体の正面部又は周回面部の下部に配備されるものとしてもよいものである。
【００１９】
前記蓋部は、外形を方形に形成され、その外面には、二つ折り中間横断線に沿って両端部が逢着され、その中間が上方に立上る手提帯が配備されるものとしてもよいものである。
【００２０】
前記蓋部は、背面側下縁が袋状体の背面に逢着され、正面側下部に掛止口が開口する受金が取付けられるものとしてもよいものである。
【００２１】
前記袋状体の正面部に掛止金が配備され、該掛止金の掛止部が前記受金の掛止口には裏側から表側に挿通され、該掛止部の先端の回動ロック部を回して蓋部の正面側下部を袋状体の正面部に掛止めできるように構成されるものとしてもよいものである。
【００２２】
前記袋状体の正面部及び背面部の上縁と、同正面部及び背面部の左側縁と右側縁とで構成される左隅部と右隅部において、正面部と背面部に貫通する左透孔と右透孔が鳩目金により設けられ、該左透孔と右透孔には、吊環が嵌挿配備されるものとしてもよいものである。
【００２３】
前記吊環には、手提げバンドの両端の連結金具が連結され、バッグ本体に手提げバンドが配備されるものとしてもよいものである。
【００２４】
前記吊環には、肩掛けバンドの両端の連結金具が連結され、バッグ本体に肩掛けバンドが配備されるものとしてもよいものである。
【考案の効果】
【００２５】
本考案のメガネケース付きバッグは、前述のように構成されるから、バッグ本体を構成する袋状体の底面部にメガネケースが一体に設けられるものであり、化粧用具、筆記用具、その他の身回品を袋状体の収容部に収容すると共に、メガネを独立するメガネケースに収容して安全、かつ常に携帯することができる。
【００２６】
また、本考案のメガネケース付きバッグは、袋状体の底面部にメガネケースが配備されるから、メガネケースの硬質性がバッグの形態を安定させ、外観を美麗に保形すると共に、座りがよく、安定して縦置きができる。
【００２７】
また、メガネケースの本体殻部とバッグ本体の袋状体とは、本体殻上の止具用雄金具と袋状体の止具の雌金具が嵌着して結合するから、メガネケースは、しっかりと閉鎖され、みだりに開くことがなく、収容するメガネがメガネケースから脱落することがない。
【００２８】
また、メガネケースからメガネの取り出しにおいても、バッグ本体を倒して背面側を下にして置くと、メガネケースの展開部が上方となり、本体殻上の止具用雄金具から袋状体の止具の雌金具の取り外しが容易に行え、また、バッグ本体の袋状体を押え、本体殻を展開してメガネケースを容易に開けることができるものである。また、メガネケースの閉鎖についても、袋状体に対して本体殻の閉め移動を容易に行えるものである。
【図面の簡単な説明】
【００２９】
【図１】図１は、本考案のメガネケース部付きバッグの実施例１の外観正面図である。
【図２】図２は、同じく、本考案のメガネケース部を開け、内部の収容部を示す説明斜視図である。
【図３】図３は、同じく、本考案のメガネケース部を断面で示す一部切り欠き側面図である。
【図４】図４は、本考案のメガネケース部付きバッグの実施例２の外観正面図である。
【図５】図５は、同じく、本考案のメガネケース部付きバッグの実施例２のガネケース部を開け、メガネの収容状態を示す説明斜視図である。
【考案を実施するための形態】
【００３０】
バッグ本体と、該バッグ本体を構成する袋状体の底面部に一体に構成されるメガネケースとから設けられるメガネケース付きバッグであって、前記バッグ本体の袋状体は、少なくとも正面部、背面部又は周回胴部と底面部から構成され、正面部と背面部又は周回胴部の上縁が開口縁に、内方が収容部に設けられ、上縁の開口縁には、蓋部が配備され、前記メガネケースは、硬質合成樹脂製であって凹湾曲相対型の本体殻と蓋体殻から構成され、前記本体殻と蓋体殻は、また、互いに蝶番により連結されると共に節度バネが介在され、互いの口縁を閉じ合わせる状態と、蝶番を中心に外方へ展開して互いの口縁を開く状態を維持するように設けられ、前記メガネケースの本体殻は、外面に表装材が装着され、前記蓋体殻は、外面に表装材として前記袋状体の底面部が装着され、袋状体の底面と一体に設けられるメガネケース付きバッグ。
【実施例１】
【００３１】
以下、本考案のメガネケース付きバッグの実施例１を図１〜３により説明すると、実施例１のメガネケース付きバッグ１は、バッグ本体２と、該バッグ本体２を構成する袋状体２ａの底面部２ａ３に、一体に構成されるメガネケース３から設けられる。
【００３２】
前記バッグ本体２の袋状体２ａは、正面部２ａ１、背面部２ａ２、底面部２ａ３から構成され、正面部２ａ１と背面部２ａ２の上縁が開口縁２ａ４に、内方が収容部２ａ５に設けられ、上縁の開口縁２ａ４には、蓋部２ｂが配備される。
【００３３】
前記蓋部２ｂは、外形を方形に形成され、その外面には、二つ折り中間横断線に沿って両端部２ｃ１、２ｃ１が逢着され、その中間が上方に立上る手提帯２ｃが配備される。
【００３４】
前記蓋部２ｂは、背面側下縁２ｂ２が袋状体２ａの背面２ａ２に逢着され、正面側下部２ｂ１に掛止口４ａが開口する受金４が取付けられる。
【００３５】
前記袋状体２ａの正面部２ａ１に掛止金５が配備され、該掛止金５の掛止部５ａが前記受金４の掛止口４ａには裏側から表側に挿通され、該掛止部５ａの先端の回動ロック部５ａ１を回して蓋部２ｂの正面側下部２ｂ１を袋状体２ａの正面部２ａ１に掛止めできるように構成される。
【００３６】
前記メガネケース３は、硬質合成樹脂製であって凹湾曲相対型の本体殻３ａと蓋体殻３ｂから構成され、前記本体殻３ａと蓋体殻３ｂは、また、互いに蝶番６により連結されると共に図示しない節度バネが介在され、図１及び図３に示すように、互いの口縁３ａ１、３ｂ１を閉じ合わせる状態と、図２に示すように、蝶番６を中心に外方へ展開して互いの口縁３ａ１、３ｂ１を開く状態を維持するように設けられる。
【００３７】
前記メガネケース３の本体殻３ａは、外面に表装材、実施例１では、皮革シート７が装着される。同じく、前記蓋体殻３ｂは、外面に表装材として前記袋状体２ａの底面部２ａ３が装着され、袋状体２ａの底面部２ａ３と一体に設けられる。
【００３８】
前記メガネケース３の本体殻３ａと蓋体殻３ｂの各内面には、内装材８が、蝶番６の連結側を連続させて装着される。
【００３９】
前記メガネケース３の本体殻３ａにおいて、蝶番６の連結位置と反対外側面に止具用雄金具９が固着される。該止具用雄金具９と嵌着する雌金具１０を下端に備える舌状止具１１が前記袋状体２ａの正面部２ａ１の下部に配備される。
【００４０】
本考案の実施例１のメガネケース付きバッグ１は、前述のように構成されるから、バッグ本体２を構成する袋状体２ａの底面部２ａ３にメガネケース３が一体に設けられるものであり、女性にあっては、化粧用具、その他の身回品を袋状体２ａの収容部２ａ５に収容すると共に、メガネを独立するメガネケース３に収容して安全に、かつ常に携帯することができる。
【００４１】
また、本考案の実施例１のメガネケース付きバッグ１は、袋状体２ａの底面部２ａ３にメガネケース３が配備されるから、メガネケース３の硬質性がバッグの形態の安定に寄与し、外観を美麗に保形すると共に、座りがよく、安定して縦置きができる。
【００４２】
また、メガネケース３の本体殻３ａとバッグ本体２の袋状体２ａとは、本体殻３ａ上の止具用雄金具９と袋状体２ａの舌状止具１１の雌金具１０が嵌着して結合するから、メガネケース３は、しっかりと閉鎖され、みだりに開くことがなく、収容するメガネがメガネケース３から脱落することがない。
【００４３】
また、メガネの使用に当ってメガネケース３からの取り出しにおいても、図２に示すように、バッグ本体２を倒して背面側を下にして置くと、メガネケース３の展開部が上方となり、本体殻３ａ上の止具用雄金具９から袋状体２ａの舌状止具１１の雌金具１０の取り外しが容易に行え、また、バッグ本体２の袋状体２ａを押え、本体殻３ａを展開してメガネケース３を容易に開けることができるものである。また、メガネケース３の閉鎖についても、袋状体２ａに対して本体殻３ａの閉め移動を容易に行えるものである。
【実施例２】
【００４４】
次に、本考案のメガネケース付きバッグの実施例２を図４及び図５により説明すると、実施例２のメガネケース付きバッグ１２は、バッグ本体１３と、該バッグ本体１３を構成する袋状体１３ａの底面部１３ａ３に、一体に構成されるメガネケース１４から設けられる。
【００４５】
前記バッグ本体１３の袋状体１３ａは、正面部１３ａ１、背面部１３ａ２、底面部１３ａ３から構成され、正面部１３ａ１と背面部１３ａ２の上縁が開口縁１３ａ４に、内方が収容部１３ａ５に設けられ、上縁の開口縁１３ａ４には、ファスナー１５が取付けられ、スライダー１５ａによって開閉自在に設けられる。
【００４６】
前記袋状体１３ａの正面部１３ａ１及び背面部１３ａ２の上縁１３ａ４と、同正面部１３ａ１及び背面部１３ａ２の左側縁１３ａ６と右側縁１３ａ７とで構成される左隅部１６ａと右隅部１６ｂにおいて、正面部１３ａ１と背面部１３ａ２に貫通する左透孔１７ａと右透孔１７ｂが鳩目金１８ａ、１８ｂにより設けられ、該左透孔１７ａと右透孔１７ｂには、吊環１９、２０が嵌挿配備される。
【００４７】
前記吊環１９、２０には、手提げバンド２１の両端の連結金具２２、２２が連結され、バッグ本体１３に手提げバンド２１が配備される。図示しないが、前記手提げバンド２１を長尺にすれば肩掛けバンドになる。手提げバンド２１又は肩掛けバンドは、連結金具２２、２２によって吊環１９、２０とは着脱自在であるので選択使用も可能である。
【００４８】
前記メガネケース１４は、前記実施例１のメガネケース３と同様に構成され、硬質合成樹脂製であって凹湾曲相対型の本体殻１４ａと蓋体殻１４ｂから構成され、前記本体殻１４ａと蓋体殻１４ｂは、図示しないが、互いに蝶番により連結されると共に節度バネが介在され、図５に示すように、互いの口縁１４ａ１、１４ｂ１を閉じ合わせる状態と、図６に示すように、蝶番を中心に外方へ展開して互いの口縁１４ａ１、１４ｂ１を開く状態を維持するように設けられる。
【００４９】
前記メガネケース１４の本体殻１４ａは、外面に表装材が装着される。同じく、前記蓋体殻１４ｂは、外面に表装材として前記袋状体１３ａの底面部１３ａ３が装着され、袋状体１３ａの底面と一体に設けられる。
【００５０】
前記メガネケース１４の本体殻１４ａと蓋体殻１４ｂの各内面には、前記実施例１と同様に内装材が、蝶番の連結側を連続させて装着される。
【００５１】
前記メガネケース１４の本体殻１４ａにおいて、蝶番の連結位置と反対外側面に止具用雄金具２３が固着される。該止具用雄金具２３と嵌着する雌金具２４を下端に備える舌状止具２５が前記袋状体１３ａの正面部１３ａ１の下部に配備される。
【００５２】
本考案の実施例２のメガネケース付きバッグ１２は、前述のように前記実施例１と同様に構成されるから、バッグ本体１３を構成する袋状体１３ａ２底面部１３ａ３にメガネケース１４が一体に設けられるものであり、女性にあっては、化粧用具、その他の身回品を袋状体１３ａの収容部１３ａ５に収容すると共に、メガネを独立するメガネケース１４に収容し、安全、かつ常に携帯することができる。
【００５３】
また、本考案の実施例２のメガネケース付きバッグ１２は、前記実施例１と同様に袋状体１３ａの底面部１３ａ３にメガネケース１４が配備されるものであるから、メガネケース１４の硬質性がバッグの形態の安定に寄与し、外観を美麗に保形すると共に、座りがよく、安定して縦置きができる。
【００５４】
また、メガネケース１４の本体殻部１４ａとバッグ本体１３の袋状体１３ａとは、本体殻１４ａ上の止具用雄金具２３と袋状体１３ａの舌状止具２５の雌金具２４が嵌着して結合するから、メガネケース１４は、しっかりと閉鎖され、みだりに開くことがなく、収容するメガネ２６がメガネケース１４から脱落することがない。
【００５５】
また、メガネ２６の使用に当ってメガネケース１４からの取り出しにおいても、図５に示すように、バッグ本体１３を倒して背面側を下にして置くと、メガネケース１４の展開部が上方となり、本体殻１４ａ上の止具用雄金具２３から袋状体１３ａの舌状止具２５の雌金具２４の取り外しが容易に行え、また、バッグ本体１３の袋状体１３ａを押え、本体殻１４ａを展開してメガネケース１４を容易に開けることができるものである。また、メガネケース１４の閉鎖についても、袋状体１３ａに対して本体殻１４ａの閉め移動を容易に行えるものである。
【００５６】
前記実施例１のバッグ本体２を構成する袋状体２ａは、縫製の関係と、外観の美的見地から正面部２ａ１、背面部２ａ２、底面部２ａ３により構成する例を説明したが、正面部２ａ１と背面部２ａ２は、図示しないが、連続する一枚ものを接続した筒型の周回面部から構成してもよいものである。前記実施例２のバッグ本体１３を構成する袋状体１３ａについても同様に構成してもよいものである。
【００５７】
前記実施例１のメガネケース３の蓋体殻３ｂは、外面に表装材として前記袋状体２ａの底面部２ａ３が装着され、袋状体２ａの底面部２ａ３と一体に設けられると説明したが、本体殻３ａの外面が底面部２ａ３と一体に設けられてもよく、蓋体殻３ｂの外面に表装材が装着されるてもよいものである。
【産業上の利用可能性】
【００５８】
本考案のメガネケース付きバッグは、化粧用具、筆記用具、その他の身回品を袋状体の収容部に収容すると共に、メガネを独立するメガネケースに収容して破損から保護し、かつ常に携帯することができる。
【００５９】
また、本考案のメガネケース付きバッグは、メガネケースの硬質性がバッグの形態が安定し、外観を美麗に保形すると共に、座りがよく、安定して縦置きができる。
【００６０】
また、本考案のメガネケースとバッグ本体の袋状体とは、止具用雄金具と雌金具が嵌着して結合するから、メガネケースは、しっかりと閉鎖され、収容するメガネがメガネケースから脱落することがない。
【００６１】
また、メガネの使用に当ってメガネケースからの取り出しにおいても、メガネケースの止具用雄金具から袋状体の止具の雌金具の取り外しが容易に行え、また、メガネケースを容易に開けることができ、また、メガネケースの閉鎖についても、袋状体に対して開閉蓋となる本体殻又は蓋殻の閉め移動を容易に行えるものである。
【符号の説明】
【００６２】
１  実施例１のメガネケース付きバッグ
２  バッグ本体
２ａ  袋状体
２ａ１  正面部
２ａ２  背面部
２ａ３  底面部
２ａ４  開口縁
２ａ５  収容部
２ｂ  蓋部
２ｂ１  正面側下部
２ｂ２  背面側下縁
２ｃ  手提帯
２ｃ１  端部
３  メガネケース
３ａ  本体殻
３ａ１  口縁
３ｂ  蓋体殻
３ｂ１  口縁
４  受金
４ａ  掛止口
５  掛止金
５ａ  掛止部
５ａ１  回動ロック部
６  蝶番
７  皮革シート
８  内装材
９  止具用雄金具
１０  雌金具
１１  舌状止具
１２  実施例２のメガネケース付きバッグ
１３  バッグ本体
１３ａ  袋状体
１３ａ１  正面部
１３ａ２  背面部
１３ａ３  底面部
１３ａ４  開口縁
１３ａ５  収容部
１３ａ６  左側縁
１３ａ７  右側縁
１４  メガネケース
１４ａ  本体殻
１４ａ１  口縁
１４ｂ  蓋体殻
１４ｂ１  口縁
１５  ファスナー
１５ａ  スライダー
１６ａ  左隅部
１６ｂ  右隅部
１７ａ  左透孔
１７ｂ  右透孔
１８ａ  鳩目金
１８ｂ  鳩目金
１９  吊環
２０  吊環
２１  手提げバンド
２２  連結金具
２３  止具用雄金具
２４  雌金具
２５  舌状止具
２６  メガネ
【図１】
0003152210.tif 000003
【図２】
0003152210.tif 000004
【図３】
0003152210.tif 000005
【図４】
0003152210.tif 000006
【図５】
0003152210.tif 000007